(57)【要約】      （修正有）【課題】手を背後に回すことなく目で観察しながら着用と固定ができる、利用しやすいフロントホック式ブラジャーを提供する。【解決手段】隠蔽フロントホック式ブラジャーであり、左カップと、右カップと、バックベルトとを含む。左カップ、右カップとバックベルトとの間にそれぞれストラップが設けられる。バックベルトは一体式の構造で、且つ両端がそれぞれ左カップ及び右カップに接続され、左カップ及び右カップが分離式の構造である。左カップの右側に左前中心が設けられ、右カップの左側に右前中心が設けられ、左前中心と右前中心との間には、係合可能で、且つ係合した後に左前中心と右前中心を接続して前中心を形成するための係合装置が設けられる。着用するとき、バックベルト及びストラップを肩部にかけ、正面から係合装置で左カップと右カップを係合するだけでブラジャーの着用と固定を完了する。【選択図】図１
0003219213.tif 000002
【実用新案登録請求の範囲】
【請求項１】
左カップ（１）と、右カップ（２）と、バックベルト（３）とを含み、前記左カップ（１）、前記右カップ（２）と前記バックベルト（３）との間にそれぞれストラップ（４）が設けられるブラジャーにおいて、前記左カップ（１）及び前記右カップ（２）が分離式の構造であり、前記左カップ（１）の右側に左前中心（５１）が設けられ、前記右カップ（２）の左側に右前中心（５２）が設けられ、前記左前中心（５１）と前記右前中心（５２）との間には、係合可能で、且つ係合した後に前記左前中心（５１）と前記右前中心（５２）を接続して前中心（５）を形成するための係合装置（６）が設けられ、前記係合装置（６）を係合させた後、前記左前中心（５１）の右端面と前記右前中心（５２）の左端面が貼り合わされて、前記係合装置（６）をブラジャーの前中心（５）の前端面の後方に隠すことを特徴とする隠蔽フロントホック式ブラジャー。
【請求項２】
前記バックベルト（３）は、一体式の構造で、且つその両端がそれぞれ前記左カップ（１）及び前記右カップ（２）に接続されることを特徴とする請求項１に記載の隠蔽フロントホック式ブラジャー。
【請求項３】
前記バックベルト（３）は、弾性を有することを特徴とする請求項２に記載の隠蔽フロントホック式ブラジャー。
【請求項４】
前記係合装置（６）が前記左前中心（５１）に固定される左接続具（７）と、前記右前中心（５２）に固定される右接続具（８）とを含み、前記左接続具（７）が前記左前中心（５１）に接続して固定するための第１の本体（７１）を含み、前記第１の本体（７１）に係合部（７２）が設けられ、前記係合部（７２）に係合孔（７３）が設けられ、前記右接続具（８）が前記右前中心（５２）に接続して固定するための第２の本体（８１）を含み、前記第２の本体（８１）には、前記係合孔（７３）に係入可能なホック（８２）が設けられることを特徴とする請求項１〜３のいずれか１項に記載の隠蔽フロントホック式ブラジャー。
【請求項５】
前記係合部（７２）が前記第１の本体（７１）の裏側に突出し、前記係合孔（７３）が前後方向に配置され、前記ホック（８２）が前記第２の本体（８１）の裏側に突出し、前記ホック（８２）が前記係合孔（７３）と係合する筒状構造で、係合するとき、前記ホック（８２）を前方から後方へ前記係合孔（８３）に係入させることを特徴とする請求項４に記載の隠蔽フロントホック式ブラジャー。
【請求項６】
前記第１の本体（７１）が前記左前中心（５１）の前面と後面の間に固定され、且つ前記第１の本体（７１）の右端面と前記左前中心（５１）の右端面が揃えられ、前記第２の本体（８１）が前記右前中心（５２）の前面と後面の間に固定され、且つ前記第２の本体（８１）の左端面と前記右前中心（５２）の左端面が揃えられ、前記係合部（７２）の底面と前記左前中心（５１）の裏面が揃えられ、前記ホック（８２）の底面と前記右前中心（５２）の裏面が揃えられ、前記係合孔（７３）の一部が前記左前中心（５１）の右側から延出し、前記第１の本体（７１）には前記係合孔（７３）のもう一部の前端を遮断する遮蔽板（７４）が設けられ、前記ホック（８２）の一部が前記右前中心（５２）の左側から延出し、係合するとき、前記ホック（８２）の前記右前中心（５２）の左側から延出した部分を前記係合孔（７３）に斜めに通して前記左前中心（５１）の右側部分の孔に挿入し、前記ホック（８２）を下向きに回転させて完全に係合孔（７３）に係入させることを特徴とする請求項５に記載の隠蔽フロントホック式ブラジャー。
【考案の詳細な説明】
【技術分野】
【０００１】
本考案は、隠蔽フロントホック式ブラジャーに関する。
【背景技術】
【０００２】
現在市販されるブラジャーは、大半がバックホック式の構造を用いている。使用するとき、手を背後に回してホックを結んだり外したりする必要がある。背後の様子が見られず、感覚に頼って両手で模索するしかないため、不便である。
【０００３】
本考案は、上述した実情に鑑みてなされるものである。
【考案の概要】
【考案が解決しようとする課題】
【０００４】
本考案は、従来技術の欠点を解消するために、隠蔽フロントホック式ブラジャーを提供することを目的とする。
【課題を解決するための手段】
【０００５】
左カップと右カップとの間に、両者を係合するための係合装置が設けられ、且つ係合した後、係合装置が内側に隠れている。ブラジャーを着脱する際、使用者は、手を背後に回すことなく、目で観察しながら、または感覚に頼って係合装置を操作できるため、便利であり、整然に見える。
【考案の効果】
【０００６】
従来技術と比べると、本考案は、以下の利点を有する。
本考案では、左カップ及び右カップが分離式の構造であり、左カップと右カップとの間に両者を係合するための係合装置が設けられる。着用するとき、バックベルト及びストラップを肩部にかけ、正面から係合装置を用いて左カップ及び右カップを係合すると、ブラジャーの着用と固定が完了する。手を背後に回すことなく、係合装置を観察しながら操作できるため、便利である。また、係合装置を係合させた後、左前中心の右端面と右前中心の左端面が貼り合わされて、係合装置をブラジャーの前中心の前端面の後方に隠す。着用しているとき、係合装置が隠れているため、整然に見える。
【０００７】
本考案では、バックベルトが一体的に構成されるため、着用するとき、バックベルト及びストラップを肩部にかけ、左カップ及び右カップを係合させるだけでよいため、便利である。
【図面の簡単な説明】
【０００８】
以下、図面を参照しながら本考案の具体的な実施形態について詳細に説明する。
【図１】本考案に係るブラジャーが係合した状態の正面図である。
【図２】本考案に係るブラジャーが係合した状態の背面図である。
【図３】左カップ及び右カップが分離した状態の後側の概略構造図である。
【図４】係合装置を係合しなかった状態の概略構造図である。
【図５】係合装置を係合した状態の概略構造図である。
【考案を実施するための形態】
【０００９】
以下、図面を参照しながら本考案についてさらに説明する。
【００１０】
図１〜図５は、本考案に係る隠蔽フロントホック式ブラジャーを示す。左カップ１と、右カップ２と、バックベルト３とを含む。左カップ１、右カップ２とバックベルト３との間にそれぞれストラップ４が設けられる。バックベルト３は一体式の構造で、且つその両端がそれぞれ左カップ１及び右カップ２に接続され、左カップ１及び右カップ２が分離式の構造である。左カップ１の右側に左前中心５１が設けられ、右カップ２の左側に右前中心５２が設けられ、左前中心５１と右前中心５２との間には、係合可能で、且つ係合した後に左前中心５１と右前中心５２を接続して前中心５を形成するための係合装置６が設けられる。着用するとき、バックベルト及びストラップを肩部にかけ、正面から係合装置６で左カップ１と右カップ２を係合するだけでブラジャーの着用と固定を完了する。手を背後に回すことなく、目で観察しながら操作できるため、利用しやすい。係合装置６を係合させた後、左前中心５１の右端面と右前中心５２の左端面が貼り合わされて、係合装置６をブラジャーの前中心５の前端面の後方に隠す。着用しているとき、係合装置６が隠れているため、整然に見える。
【００１１】
バックベルト３は、弾性を有し、左カップ１及び右カップ２を引き寄せ、左カップ１及び右カップ２を胸部に密着させる。
【００１２】
係合装置６は、左前中心５１に固定される左接続具７と、右前中心５２に固定される右接続具８とを含む。左接続具７は、左前中心５１に接続して固定するための第１の本体７１を含み、第１の本体７１に係合部７２が設けられ、係合部７２に係合孔７３が設けられる。右接続具８は、右前中心５２に接続して固定するための第２の本体８１を含み、第２の本体８１には、係合孔７３に係入可能なホック８２が設けられる。
【００１３】
係合部７２が第１の本体７１の裏側に突出し、係合孔７３が前後方向に配置され、ホック８２が第２の本体８１の裏側に突出し、ホック８２は、係合孔７３と係合する筒状構造で、係合するとき、ホック８２を前方から後方へ係合孔７３に係入させ、便利である。
【００１４】
第１の本体７１が左前中心５１の前面と後面の間に固定され、第２の本体８１が右前中心５２の前面と後面の間に固定され、これにより、左接続具７及び右接続具８が左前中心５１及び右前中心５２の前端面の下方に配置され、且つ、第１の本体７１の右端面と左前中心５１の右端面が揃えられ、第２の本体８１の左端面と右前中心５２の左端面が揃えられ、係合部７２の底面と左前中心５１の裏面が揃えられ、ホック８２の底面と右前中心５２の裏面が揃えられ、係合孔７３の一部が左前中心５１の右側から延出し、第１の本体７１には係合孔７３のもう一部の前端を遮断する遮蔽板７４が設けられ、ホック８２の一部が右前中心５２の左側から延出し、これにより、係合した後、左前中心５１の右端面と右前中心５２の左端面が堅牢に貼り合わされ、且つ端部の反り上げを防止するとともに、左接続具７及び右接続具８がブラジャーの前中心５の裏面に突出して着用時の快適性を損なうことも回避され、構造がシンプルで、係合装置６を小さくでき、ブラジャー全体を整然としている。
【００１５】
使用するとき、当該ブラジャーを肩部にかけ、左手及び右手でそれぞれ左前中心５１及び右前中心５２をつかんで中間に引き寄せ、ホック８２の右前中心５２の左側から延出した部分を係合孔７３に斜めに通して左前中心５１の右側部分の孔に挿入し、ホック８２を下向きに回転させてホック８２を完全に係合孔７３に係入させればよい。係合した後、ホック８２の右前中心５２の左側から延出した部分が遮断板７４の後方にあり、遮断板７４により、ホック８２が係合孔７３から脱落することを防止できる。ブラジャーを外すとき、右前中心５２をつかんでホック８２を少しだけ前向きに回転させ、ホック８２を係合孔７３の左前中心５１の右側に延出した孔の部分から抜き出せばよく、利用しやすい。
【図１】
0003219213.tif 000003
【図２】
0003219213.tif 000004
【図３】
0003219213.tif 000005
【図４】
0003219213.tif 000006
【図５】
0003219213.tif 000007